(57)【特許請求の範囲】
【請求項１】
無端状に配列される踏段と、この踏段の移動方向に沿って立設される欄干と、この欄干に支持され、前記踏段と同一方向に運行する無端状のハンドレールとを備えた乗客コンベア装置において、
欄干照明有りタイプと欄干照明無しタイプとのそれぞれに共通して設けられ、前記欄干の上部に固定されると共に、この欄干の反踏段側に出張り、かつ前記踏段の移動方向に沿って延設されるフレーム部材を備えると共に、
前記フレーム部材に着脱自在に取付けられる欄干照明ユニットは、前記踏段の移動方向に沿って所定の長さ寸法を有し、その上部が前記フレーム部材に装着可能なカバー部材を備えると共に、このカバー部材内に、照明体、この照明体を前記カバー部材に固定する固定用ブラケット、及び前記照明体に給電する配線材が予め組み込まれ、
前記カバー部材は、Ｕ字状の断面形状を有する透光体と、Ｌ字状の断面形状を有する固定部と、をさらに有し、
前記固定部は、一端が前記透光体の前記反踏段側の一端の上部に固定され、前記透光体の他端の上部に向かって延設される他端が前記フレーム部材に固定されることを特徴とする乗客コンベア装置。
【請求項２】
前記配線材は、隣接する照明ユニットの他の配線材、及び欄干端部にあって主電源から延設される主配線と接続可能なコネクタを備えたことを特徴とする請求項１に記載の乗客コンベア装置。
【請求項３】
前記カバー部材は、欄干照明有りタイプと欄干照明無しタイプとのそれぞれに共通して前記フレーム部材に具備される共通ビスを介し、その上部が前記フレーム部材に装着されることを特徴とした請求項１に記載の乗客コンベア装置。
【発明の詳細な説明】
【技術分野】
【０００１】
本発明は、乗客コンベア装置に関する。
【背景技術】
【０００２】
踏段の移動方向に沿って立設される欄干に照明が設けられる欄干照明有りタイプと、欄干に照明が設けられない欄干照明無しタイプとの間で部品の共通化率を高める乗客コンベア装置として、特開２００３−３３５４９０号公報（特許文献１）に記載されるものがある。この特許文献１には、移動する踏段列あるいは踏板列と、踏段列あるいは踏板列の移動方向両側において移動方向と平行に立設されたガラスパネルと、このガラスパネルの上端部に装着され移動手摺りを摺動自在に支持する手摺レールと、この手摺レールに着脱自在に取り付けられた欄干照明装置とを備え、また、欄干照明装置が、手摺レールの下端部に着脱自在であると共に下面に前記踏段列あるいは踏板列の移動方向に延びる開口部が形成されたケーシングと、このケーシングの下面から下方に突出するように開口部に着脱自在に取り付けられたランプカバーと、下面が開口部に対向するようにケーシング内部に取り付けられた板バネ状の配線受け部材と、配線受け部材の下面に取り付けられたランプホルダーとを有し、ランプカバーは、縦断面Ｕ字形を成すと共に両側壁の上端部が外側に屈曲して開口部の縁に引っ掛けるための突出部を形成し、記両側壁が互いに接近するように弾性変形させることにより開口部に着脱するように構成されており、配線受け部材は、ランプカバーが開口部に取り付けられた状態で各突出部を開口部の縁に圧接するように一端がケーシング内部に固定されている、と記載されている。
【先行技術文献】
【特許文献】
【０００３】
【特許文献１】特開２００３−３３５４９０号公報
【発明の概要】
【発明が解決しようとする課題】
【０００４】
しかしながら、前述した特許文献１に記載される乗客コンベア装置は、欄干照明装置を取付ける現地作業にあって、配線受け部材やランプホルダーを予めケーシングと一体化して固定することができるものの、開口部を介して行うケーシング内への配線の挿入、ランプホルダーへのランプの取付け、及びランプカバーのケーシングの開口部への取付けを要し、手間がかかるという課題があった。特に、顧客の要望により既設の乗客コンベア装置に欄干照明を後付けする場合、作業期間中、乗客コンベア装置を不稼働とする必要があることから、現地作業の効率化が求められている。
【０００５】
本発明は、前述した従来技術における実状からなされたもので、その目的は、欄干照明有りタイプと欄干照明無しタイプとの間で部品の共通化を図ると共に、欄干照明の取付け作業の効率を高めることのできる乗客コンベア装置を提供することにある。
【課題を解決するための手段】
【０００６】
前記目的を達成するために、本発明は、無端状に配列される踏段と、この踏段の移動方向に沿って立設される欄干と、この欄干に支持され、前記踏段と同一方向に運行する無端状のハンドレールとを備えた乗客コンベア装置において、欄干照明有りタイプと欄干照明無しタイプとのそれぞれに共通して設けられ、前記欄干の上部に固定されると共に、この欄干の反踏段側に出張り、かつ前記踏段の移動方向に沿って延設されるフレーム部材を備えると共に、前記フレーム部材に着脱自在に取付けられる欄干照明ユニットは、前記踏段の移動方向に沿って所定の長さ寸法を有し、その上部が前記フレーム部材に装着可能なカバー部材を備えると共に、このカバー部材内に、照明体、この照明体を前記カバー部材に固定する固定用ブラケット、及び前記照明体に給電する配線材が予め組み込まれ、前記カバー部材は、Ｕ字状の断面形状を有する透光体と、Ｌ字状の断面形状を有する固定部と、をさらに有し、前記固定部は、一端が前記透光体の前記反踏段側の一端の上部に固定され、前記透光体の他端の上部に向かって延設される他端が前記フレーム部材に固定されることを特徴としている。
【発明の効果】
【０００７】
本発明によれば、欄干照明有りタイプと欄干照明無しタイプとの間で部品の共通化を図ると共に、欄干照明の取付け作業の効率を高めることができ、特に、既設の乗客コンベア装置に欄干照明を後付けする場合、乗客コンベア装置の不稼働時間を低減し、サービス性の向上を図ることができる。
【図面の簡単な説明】
【０００８】
【図１】本発明の乗客コンベア装置の概略構成図である。
【図２】本発明の乗客コンベアの一実施の形態を示し、欄干照明有りタイプの要部断面図である。
【図３】本実施の形態における欄干無しタイプの要部断面図である。
【図４】本実施の形態における照明ユニットの断面図である。
【図５】本実施の形態における隣接する照明ユニットのコネクタを接続した状態を示す説明図である。
【発明を実施するための形態】
【０００９】
本発明の実施例を、図面を参照しながら説明する。尚、各図において、同一又は類似の構成要素には同じ符号を付し、説明を省略する。
【００１０】
本実施の形態の乗客コンベア装置は、図１に示すように、例えばエスカレータであり、無端状に配列され、乗降口１、２間を移動する図示しない踏段と、この踏段の移動方向に沿って立設される欄干３と、この欄干３に支持され、踏段と同一方向に運行する無端状のハンドレール４とを備えている。
【００１１】
欄干３は、図２及び図３に示すように、ガラスパネル５と、このガラスパネル５の上方にあってハンドレール４を移動可能に支持するハンドレール支持部材６とを備えている。なお、ハンドレール支持部材６は、図２及び図３にあって、簡略化されて記載されている。
【００１２】
そして、本実施の形態の乗客コンベア装置は、図２に示す欄干照明有りタイプと図３に示す欄干照明無しタイプとのそれぞれに共通して設けられ、欄干３の上部に固定されると共に、この欄干３の反踏段側に出張り、かつ踏段の移動方向に沿って延設されるフレーム部材７を備えている。このフレーム部材７は、ガラスパネル５の上端に嵌合されると共に、フレーム部材７の上部にハンドレール支持部材６が取付けられている。
【００１３】
欄干照明有りタイプの乗客コンベア装置にあって、フレーム部材７に着脱自在に取付けられる欄干照明ユニット８は、図２及び図４に示すように、踏段の移動方向に沿って所定の長さ寸法を有し、その上部がフレーム部材７に装着可能なカバー部材９を備えている。
【００１４】
カバー部材９は、例えばＵ字状の断面形状を有し、光を通す透光体９ａと、Ｌ字状の断面形状を有し、その一端が透光体９ａの一方の上部にビス１０により固定されると共に、他端が透光体９ａの他方の上部に向かって延設される固定部９ｂとを有して成っている。また、カバー部材９は、欄干照明有りタイプと欄干照明無しタイプとのそれぞれに共通してフレーム部材７に具備される共通ビス１１を介し、その上部がフレーム部材７に装着される。
【００１５】
また、カバー部材９内に、照明体、例えばＬＥＤ１２と、Ｌ字状の断面形状を有し、その一端が締結部材１３によりカバー部材９の上端に支持され、ＬＥＤ１２をカバー部材９に固定する固定用ブラケット１４と、ＬＥＤ１２に給電する配線材１５とが配置されている。そして、これらのＬＥＤ１２、固定用ブラケット１４、及び配線材１５は工場等でカバー部材９に予め組み込まれ、照明ユニット８として据付け現場に搬入されるようになっている。
【００１６】
照明ユニット８は、図１及び図５に示すように、所定の長さ寸法を有するものであり、複数の照明ユニット８が連結され、エスカレータの全長に亘り配置される。また、配線材１５は、隣接する照明ユニット８の他の配線材１５、及び欄干３端部にあって図示しない主電源から延設される主配線と接続可能なコネクタ１６を備えている。
【００１７】
本実施の形態にあっては、欄干照明無しタイプの乗客コンベア装置の場合、図３に示すように、欄干３を構成するガラスパネル５の上端にフレーム部材７が嵌合され、このフレーム部材７の上部にハンドレール支持部材６が取付けられていると共に、このハンドレール支持部材６にハンドレール４が移動可能に支持されている。
【００１８】
そして、例えば、顧客の要望で欄干照明無しタイプから欄干照明有りの乗客コンベア装置にする場合、欄干照明無しタイプにも具備される共通ビス１１を緩め、カバー部材９の固定部９ｂとフレーム部材７とを対向させ、この状態で共通ビス１１を締結する。なお、このとき、一旦、ビス１０を緩め、固定部９ｂを透光体９ａから取外し、固定部９ｂのみを共通ビス１１によりフレーム部材７に固定する。次いで、固定部９ｂにビス１０を介して透光体９ａを取付け、ＬＥＤ１２、固定用ブラケット１４、及び配線材１５を含む照明ユニット８をフレーム部材７に装着する。このようにして複数の照明ユニット８をエスカレータの全長に亘り配置すると共に、隣接する照明ユニット８のコネクタ１６同士を連結し、かつ欄干３端部にあってはコネクタ１６を図示しない主電源から延設される主配線と接続し、照明ユニット８全体への給電経路を構築する。
【００１９】
本実施の形態によれば、欄干照明有りタイプと欄干照明無しタイプとのそれぞれに共通して設けられ、欄干３の上部に固定されると共に、この欄干３の反踏段側に出張り、かつ踏段の移動方向に沿って延設されるフレーム部材７を備えると共に、フレーム部材７に着脱自在に取付けられる欄干照明ユニット８は、踏段の移動方向に沿って所定の長さ寸法を有し、その上部がフレーム部材７に装着可能なカバー部材９を備えると共に、このカバー部材９内に、ＬＥＤ１２、このＬＥＤ１２をカバー部材９に固定する固定用ブラケット１４、及びＬＥＤ１２に給電する配線材１５を予め組み込んだことにより、欄干照明有りタイプと欄干照明無しタイプとの間で部品の共通化を図ると共に、欄干照明の取付け作業の効率を高めることができ、特に、既設の乗客コンベア装置に欄干照明を後付けする場合、乗客コンベア装置の不稼働時間を低減し、サービス性の向上を図ることができる。
【００２０】
また、配線材１５は、隣接する照明ユニット８の他の配線材１５、及び欄干端部にあって主電源から延設される主配線と接続可能なコネクタ１６を備えたことにより、コネクタ１６を接続するという簡易な方法で、複数の照明ユニット８への給電経路の構築を行うことができる。
【００２１】
さらに、カバー部材９は、欄干照明有りタイプと欄干照明無しタイプとのそれぞれに共通してフレーム部材７に具備される共通ビス１１を介し、その上部がフレーム部材７に装着されることにより、欄干照明有りタイプと欄干照明無しタイプとの間で部品の共通化を図りつつ、容易にカバー部材９ないしは照明ユニット８をフレーム部材７に取付けることができる。
【００２２】
なお、前述した実施の形態は本発明を分かりやすく説明するために詳細に説明したものであり、必ずしも説明した全ての構成を備えるものに限定されるものではない。また、各実施の形態の構成の一部について、技術思想を逸脱しない範囲内で他の構成の追加・削除・置き換えをすることが可能である。
【００２３】
例えば、カバー部材９の固定部９ｂに、Ｕ字状の切欠き部を形成し、この切欠き部をビス１１に嵌合させ、カバー部材９を装着するようにすることもできる。すなわち、照明ユニット８を後付けする場合、欄干照明無しタイプにも具備される共通ビス１１を緩め、共通ビス１１の大径部とフレーム部材７下面との間に間隙を設け、照明ユニット８をフレーム部材７の側方に配置し、照明ユニット８を水平方向にスライドさせつつ、カバー部材９の固定部９ｂに形成されるＵ字状の切欠き部をビス１１に嵌合させ、照明ユニット８をフレーム部材７に装着する。このような構成とすることより、より作業性の向上を図ることができる。
【符号の説明】
【００２４】
３  欄干
４  ハンドレール
５  ガラスパネル
６  ハンドレール支持部材
７  フレーム部材
８  欄干照明ユニット
９  カバー部材
９ａ  透光体
９ｂ  固定部
１０  ビス
１１  共通ビス
１２  ＬＥＤ（照明体）
１３  締結部材
１４  固定用ブラケット
１５  配線材
１６  コネクタ
【図１】
0006324275.tif 000002
【図２】
0006324275.tif 000003
【図３】
0006324275.tif 000004
【図４】
0006324275.tif 000005
【図５】
0006324275.tif 000006